(57)【特許請求の範囲】
【請求項１】
第１の使用環境および第２の使用環境において駆動される電子機器であって、
所定のデータを記憶する記憶手段と、
前記電子機器が前記第１の使用環境および前記第２の使用環境のうちのいずれの使用環境で駆動されているかを認識する認識手段と、
前記認識手段によって前記電子機器が前記第２の使用環境で駆動されていることが認識され、前記データが所定の基準値にリセットされていないとき、前記データを前記基準値にリセットするリセット手段と
を備えることを特徴とする電子機器。
【請求項２】
第１の使用環境および第２の使用環境において駆動される電子機器であって、
前記第１の使用環境において変更可能な第１のデータを記憶する第１の記憶手段と、
少なくとも前記第２の使用環境において変更可能な第２のデータを記憶する第２の記憶手段と、
前記電子機器が前記第１の使用環境および前記第２の使用環境のうちのいずれの使用環境で駆動されているかを認識する認識手段と、
前記認識手段によって前記電子機器が前記第２の使用環境で駆動されていることが認識され、前記第２のデータが所定の基準値にリセットされていないとき、前記第２のデータを前記基準値にリセットするリセット手段と
を備えることを特徴とする電子機器。
【請求項３】
前記認識手段は、前記電子機器に供給される電力の電圧値が一般家庭に供給される電力の電圧値であるとき、前記第２の使用環境で前記電子機器が駆動されていると認識し、前記電子機器に供給される電力の電圧値が一般家庭に供給される電力の電圧値ではないとき、前記第１の使用環境で前記電子機器が駆動されていると認識する
ことを特徴とする請求項１または２に記載の電子機器。
【請求項４】
前記第１のデータは、前記電子機器の出荷前に調整可能なデータであり、前記第２のデータは、前記電子機器の出荷後にユーザが調整可能なデータである
ことを特徴とする請求項２または３に記載の電子機器。
【請求項５】
第１の使用環境および第２の使用環境において駆動される電子機器の初期化方法であって、
所定のデータを記憶する記憶ステップと、
前記電子機器が前記第１の使用環境および前記第２の使用環境のうちのいずれの使用環境で駆動されているかを認識する認識ステップと、
前記認識ステップにおいて前記電子機器が前記第２の使用環境で駆動されていることが認識され、前記データが所定の基準値にリセットされていないとき、前記データを前記基準値にリセットするリセットステップと
を備えることを特徴とする電子機器の初期化方法。
【請求項６】
第１の使用環境および第２の使用環境において駆動される電子機器の初期化方法であって、
前記第１の使用環境において変更可能な第１のデータを記憶する第１の記憶部と、少なくとも前記第２の使用環境において変更可能な第２のデータを記憶する第２の記憶部とを有する前記電子機器が前記第１の使用環境および前記第２の使用環境のうちのいずれの使用環境で駆動されているかを認識する認識ステップと、
前記認識ステップにおいて前記電子機器が前記第２の使用環境で駆動されていることが認識され、前記第２のデータが所定の基準値にリセットされていないとき、前記第２のデータを前記基準値にリセットするリセットステップと
を備えることを特徴とする電子機器の初期化方法。
【請求項７】
第１の使用環境および第２の使用環境において駆動される電子機器の初期化プログラムであって、
所定のデータを記憶する記憶ステップと、
前記電子機器が前記第１の使用環境および前記第２の使用環境のうちのいずれの使用環境で駆動されているかを認識する認識ステップと、
前記認識ステップにおいて前記電子機器が前記第２の使用環境で駆動されていることが認識され、前記データが所定の基準値にリセットされていないとき、前記データを前記基準値にリセットするリセットステップと
を前記電子機器に実行させることを特徴とする電子機器の初期化プログラム。
【請求項８】
第１の使用環境および第２の使用環境において駆動される電子機器の初期化プログラムであって、
前記第１の使用環境において変更可能な第１のデータを記憶する第１の記憶部と、少なくとも前記第２の使用環境において変更可能な第２のデータを記憶する第２の記憶部とを有する前記電子機器が前記第１の使用環境および前記第２の使用環境のうちのいずれの使用環境で駆動されているかを認識する認識ステップと、
前記認識ステップにおいて前記電子機器が前記第２の使用環境で駆動されていることが認識され、前記第２のデータが所定の基準値にリセットされていないとき、前記第２のデータを前記基準値にリセットするリセットステップと
を前記電子機器に実行させることを特徴とする電子機器の初期化プログラム。
【発明の詳細な説明】
【技術分野】
【０００１】
本発明は電子機器に関し、特に、工場出荷時の初期化処理を行う初期化処理機能を有する電子機器に関するものである。
【背景技術】
【０００２】
テレビジョン受像機の電源が投入されたときに、コマンダが接続されているときは調整モードと判断され、それ以外のときはユーザモードと判断される。調整モードと判断されたときは、ＲＯＭ（Read Only Memory）に予め書き込まれている回路各部の平均的な初期設定データが読み出され、それに基づいて回路各部が設定される。そして、コマンダからのリモコン信号があると、各テレビジョン受像機毎の調整が行われ、調整された回路各部の初期設定データ（標準値のデータ）が第１のメモリに書き込まれる。一方、ユーザモードと判断されたときは、調整モードにおいて第１のメモリに書き込まれた初期設定データが読み出され、これに基づいて回路各部が設定され、それ以降、ユーザモードの処理がなされ、標準値に対するオフセット値の設定等が行われ、オフセット値が第２のメモリに書き込まれる。この標準値とオフセット値とを加算したデータに基づいて回路各部による制御がなされる（例えば、特許文献１参照）。
現行のテレビジョン受像機では、工場の作業者は、初期設定データ（標準値のデータ）を調整するとともに、適宜、オフセット値を調整して、各セット毎に初期設定データを最適な値に調整している。上記第１のメモリに書き込まれた初期設定データ、および、上記第２のメモリに書き込まれたオフセット値のうち、少なくともオフセット値は、調整終了時に、工場の作業者が所定の操作を行い、所定の規定値にリセットしておく必要があった。
【特許文献１】特開昭６１−９６８８０号公報
【発明の開示】
【発明が解決しようとする課題】
【０００３】
しかしながら、工場出荷前に作業者がオフセット値を所定の規定値にリセットするリセット処理を忘れると、例えば、作業者が検査工程の最後に音量調整の確認を行い、音量をゼロにしたまま出荷してしまうこともあり得る。そのような調整がなされたテレビジョン受像機を購入したユーザは、最初に電源を投入したとき、映像は表示されるが音声が出力されないという状況に遭遇する。その結果、テレビジョン受像機が故障しているのではないかという不安をユーザに与える可能性がある。そして、このような状況は、リセット処理を工場の作業者に一任している限り起こり得る。
本発明はこのような状況に鑑みてなされたものであり、テレビジョン受像機等の電子機器を購入したユーザがその電子機器に最初に電源を投入して駆動したとき、各種調整値が所定の規定値にリセットされるようにし、工場で作業する作業者が電子機器の出荷前に、その電子機器のリセット処理について全く留意する必要がなく、かつ、ユーザが購入した電子機器が規定値に従って駆動されるようにするものである。
【課題を解決するための手段】
【０００４】
請求項１に記載の電子機器は、第１の使用環境および第２の使用環境において駆動される電子機器であって、所定のデータを記憶する記憶手段と、電子機器が第１の使用環境および第２の使用環境のうちのいずれの使用環境で駆動されているかを認識する認識手段と、認識手段によって電子機器が第２の使用環境で駆動されていることが認識され、データが所定の基準値にリセットされていないとき、データを基準値にリセットするリセット手段とを備えることを特徴とする。
請求項２に記載の電子機器は、第１の使用環境および第２の使用環境において駆動される電子機器であって、第１の使用環境において変更可能な第１のデータを記憶する第１の記憶手段と、少なくとも第２の使用環境において変更可能な第２のデータを記憶する第２の記憶手段と、電子機器が第１の使用環境および第２の使用環境のうちのいずれの使用環境で駆動されているかを認識する認識手段と、認識手段によって電子機器が第２の使用環境で駆動されていることが認識され、第２のデータが所定の基準値にリセットされていないとき、第２のデータを基準値にリセットするリセット手段とを備えることを特徴とする。
また、認識手段は、電子機器に供給される電力の電圧値が一般家庭に供給される電力の電圧値であるとき、第２の使用環境で電子機器が駆動されていると認識し、電子機器に供給される電力の電圧値が一般家庭に供給される電力の電圧値ではないとき、第１の使用環境で電子機器が駆動されていると認識するようにすることができる。
また、第１のデータは、電子機器の出荷前に調整可能なデータであり、第２のデータは、電子機器の出荷後にユーザが調整可能なデータであるようにすることができる。
請求項５に記載の電子機器の初期化方法は、第１の使用環境および第２の使用環境において駆動される電子機器の初期化方法であって、所定のデータを記憶する記憶ステップと、電子機器が第１の使用環境および第２の使用環境のうちのいずれの使用環境で駆動されているかを認識する認識ステップと、認識ステップにおいて電子機器が第２の使用環境で駆動されていることが認識され、データが所定の基準値にリセットされていないとき、データを基準値にリセットするリセットステップとを備えることを特徴とする。
請求項６に記載の電子機器の初期化方法は、第１の使用環境および第２の使用環境において駆動される電子機器の初期化方法であって、第１の使用環境において変更可能な第１のデータを記憶する第１の記憶部と、少なくとも第２の使用環境において変更可能な第２のデータを記憶する第２の記憶部とを有する電子機器が第１の使用環境および第２の使用環境のうちのいずれの使用環境で駆動されているかを認識する認識ステップと、認識ステップにおいて電子機器が第２の使用環境で駆動されていることが認識され、第２のデータが所定の基準値にリセットされていないとき、第２のデータを基準値にリセットするリセットステップとを備えることを特徴とする。
請求項７に記載の電子機器の初期化プログラムは、第１の使用環境および第２の使用環境において駆動される電子機器の初期化プログラムであって、所定のデータを記憶する記憶ステップと、電子機器が第１の使用環境および第２の使用環境のうちのいずれの使用環境で駆動されているかを認識する認識ステップと、認識ステップにおいて電子機器が第２の使用環境で駆動されていることが認識され、データが所定の基準値にリセットされていないとき、データを基準値にリセットするリセットステップとを電子機器に実行させることを特徴とする。
請求項８に記載の電子機器の初期化プログラムは、第１の使用環境および第２の使用環境において駆動される電子機器の初期化プログラムであって、第１の使用環境において変更可能な第１のデータを記憶する第１の記憶部と、少なくとも第２の使用環境において変更可能な第２のデータを記憶する第２の記憶部とを有する電子機器が第１の使用環境および第２の使用環境のうちのいずれの使用環境で駆動されているかを認識する認識ステップと、認識ステップにおいて電子機器が第２の使用環境で駆動されていることが認識され、第２のデータが所定の基準値にリセットされていないとき、第２のデータを基準値にリセットするリセットステップとを電子機器に実行させることを特徴とする。
【発明の効果】
【０００５】
本発明によれば、所定のデータを記憶し、電子機器が第１の使用環境および第２の使用環境のうちのいずれの使用環境で駆動されているかを認識し、電子機器が第２の使用環境で駆動されていることが認識され、データが所定の基準値にリセットされていないとき、データを基準値にリセットするようにしたので、工場の作業者が出荷前にリセット処理を忘れた場合でも、購入したユーザが最初に電源を投入して駆動したとき、初期化処理が実行されるので、初期化処理がされていないことによる不具合の発生を抑制することができる。
【発明を実施するための最良の形態】
【０００６】
図１は、本発明を応用したテレビジョン受像機の一実施の形態の構成例を示すブロック図である。同図に示すように、本実施の形態は、アンテナ１０１と、チューナ１０２と、デコーダ１０３と、映像音声処理部１０４と、表示部１０５と、スピーカ１０６と、マイコン１０７と、受光部１０８と、インタフェース（Ｉ／Ｆ）１０９と、電源電圧検出部１１０と、電源１１１と、電源ライン１１２と、プラグ１１３と、インタフェース（Ｉ／Ｆ）１１４と、操作部１１５と、記憶部２００等から構成されている。
【０００７】
アンテナ１０１は、受信した電波に対応する受信信号をチューナ１０２に供給するようになっている。チューナ１０２は、マイコン１０７の制御下、アンテナ１０１より供給された受信信号から所定のチャンネルを選局し、選局したチャンネルに対応する映像音声信号をデコーダ１０３に供給するようになっている。
【０００８】
デコーダ１０３は、マイコン１０７の制御下、チューナ１０２より供給された映像音声信号に対してデコード処理を施し、映像音声処理部１０４に供給するようになっている。
【０００９】
映像音声処理部１０４は、マイコン１０７の制御下、デコーダ１０３より供給されたデコード処理が施された映像音声信号のうち、映像信号に対して、マイコン１０７より供給された輝度や色合い等の映像に関する各種調整値の標準値およびオフセット値に基づいて、輝度、色合い等を調整した映像信号を生成し、表示部１０５に供給するとともに、映像音声信号を構成する音声信号に対して、マイコン１０７より供給された音量、低音の強さ、高音の強さ等の調整値に基づいて、所定の音量の所定の低音および高音からなる音声を生成し、スピーカ１０６に供給するようになっている。また、映像音声処理部１０４は、マイコン１０７の制御下、後述するキャラクタジェネレータ２０１によって生成された文字や図形等からなる表示データに対応する映像信号をデコーダ１０３より供給された映像信号に重ね合わせた合成映像信号を生成し、表示部１０５に供給するようになっている。
【００１０】
表示部１０５は、映像音声処理部１０４より供給された映像信号を表示するようになっている。スピーカ１０６は、映像音声処理部１０４より供給された音声信号を出力するようになっている。
【００１１】
マイコン１０７は、図示しないＣＰＵ（Central Processing Unit）、ＲＯＭ（Read
Only Memory）、ＲＡＭ（Random Access Memory）等により構成され、ＲＯＭに記憶されている制御プログラムに従って動作し、各部を制御するとともに、各種処理を実行するようになっている。
【００１２】
受光部１０８は、図示しないリモコンから出射された赤外線を受光し、対応する電気信号に変換した後、インタフェース（Ｉ／Ｆ）１０９に供給するようになっている。Ｉ／Ｆ１０９は、受光部１０８より供給された電気信号に対応する制御データをマイコン１０７に供給するようになっている。
【００１３】
電源１１１は、プラグ１１３より供給された外部電力から所定の電圧の直流電流を生成し、その電流を電源ライン１１２を介して各部に供給するようになっている。電源電圧検出部１１０は、電源１１１にプラグ１１３より供給された外部電力の電圧値を検出し、検出した電圧値を示す検出データをマイコン１０７に供給するようになっている。
【００１４】
操作部１１５は、音量キー、チャンネルキー等により構成され、音量キーは音量の調節を行うときに操作され、チャンネルキーはチャンネルの変更を指示するときに操作される。インタフェース（Ｉ／Ｆ）１１４は、操作部１１５の操作されたキーに対応するキーデータをマイコン１０７に供給するようになっている。
【００１５】
記憶部２００は、各種フォントに対応するビットマップイメージデータを生成し、出力するキャラクタジェネレータ２０１と、映像や音声等の各種調整値を記憶する不揮発性メモリからなる調整用メモリ２０２と、各種フラグデータを記憶する不揮発性メモリからなるフラグデータ記憶用メモリ２０３とを有している。
【００１６】
また、調整用メモリ２０２は、工場において出荷前に各セット毎に調整された各種調整値の標準値を記憶する第１の調整メモリ領域２０２ａと、出荷後においてユーザにより調整されたオフセット値を記憶する第２の調整メモリ領域２０２ｂとを有している。この第２の調整メモリ領域２０２ｂに記憶されるオフセット値は、一般家庭においてユーザにより調整される他、出荷前に工場において作業者によっても検査のために必要に応じて調整される。
【００１７】
次に、図２のフローチャートを参照して、本実施の形態の動作について説明する。まず、ステップＳ１において、マイコン１０７は、電源電圧検出部１１０より供給された検出データに基づいて、プラグ１１３より供給される外部電源の電圧値（外部電圧）が一般家庭用の１００ボルト（Ｖ）（一般的に許容される範囲内の誤差および変動を含む）であるか否かが判定される。
【００１８】
その結果、外部電源の電圧値が１００ボルトではないと判定された場合、ステップＳ２に進み、マイコン１０７の制御により、所定の調整モードフラグに値１がセットされる。この調整モードフラグの値は、記憶部２００を構成するフラグデータ記憶用メモリ２０３に供給され、記憶される。その後、ステップＳ１０に進む。
【００１９】
一方、外部電源の電圧値が１００ボルトであると判定された場合、ステップＳ３に進む。ステップＳ３においては、マイコン１０７により、各種調整値の設定を行うための調整モードでの起動が指示されたか否かが判定される。
【００２０】
即ち、ユーザによって図示しないリモコンの各キーのうち、調整モードで起動するためのキーが操作されると、調整モードでの起動を指示する制御データに対応する赤外線が図示しない発光部より出射される。この赤外線は、テレビジョン受像機１００の受光部１０８により受光され、対応する電気信号に変換された後、Ｉ／Ｆ１０９に供給される。Ｉ／Ｆ１０９は受光部１０８より供給された電気信号に対応する制御データをマイコン１０７に供給する。マイコン１０７は、Ｉ／Ｆ１０９より供給された制御データが調整モードでの起動を指示するものであるか否かを判定する。いまの場合、調整モードでの起動が指示されたと判定する。
【００２１】
或いは、テレビジョン受像機１００本体に設けられた操作部１１５の所定のキー（例えば、音量キー、チャンネルキー等）を押しながら図示しない電源スイッチが操作されて電源投入が行われたとき、押下されたキーに対応するキーデータがＩ／Ｆ１１４よりマイコン１０７に供給されるので、マイコン１０７により、調整モードでの起動が指示されたと判定される。
【００２２】
ステップＳ３において、マイコン１０７により、調整モードでの起動が指示されたと判定された場合、ステップＳ４に進み、マイコン１０７の制御下、所定の調整モードフラグに値１がセットされ、所定の初期化フラグに値１がセットされる。調整モードフラグおよび初期化フラグの値は、記憶部２００のフラグデータ記憶用メモリ２０３に供給され、保持される。その後、ステップＳ１０に進む。
【００２３】
調整モードフラグに値１がセットされている場合、テレビジョン受像機１００が各種調整値を設定するための調整モードで起動されたことを示している。また、初期化フラグに値１がセットされている場合、出荷後にユーザが最初に電源を投入したときに、各種調整値を構成するオフセット値を初期化する必要があることを示している。
【００２４】
一方、ステップＳ３において、マイコン１０７により、調整モードでの起動が指示されていないと判定された場合、ステップＳ５に進む。
【００２５】
ステップＳ５においては、マイコン１０７により、調整モードフラグに値１がセットされているか否かが判定される。その結果、調整モードフラグに値１がセットされていると判定された場合、ステップＳ６に進み、調整モードフラグに値０がセットされるとともに、初期化フラグに値１がセットされた後、ステップＳ７に進む。
【００２６】
一方、ステップＳ５において、調整モードフラグに値１がセットされていないと判定された場合、ステップＳ７に進む。
【００２７】
ステップＳ７においては、マイコン１０７により、初期化フラグに値０がセットされているか否かが判定される。その結果、初期化フラグに値０がセットされていると判定された場合、ステップＳ１０に進む。一方、初期化フラグに値０がセットされていないと判定された場合、ステップＳ８に進む。
【００２８】
ステップＳ８においては、マイコン１０７の制御により、各種調整値に対する初期化処理が実行される。この初期化処理は、各種調整値を構成する各オフセット値をそれぞれ所定の規定値（初期値）にリセットする処理である。この規定値は、記憶部２００に予め記憶されている。
【００２９】
即ち、各種調整値は、工場内において作業者によって各セット毎のバラツキを補正するために調整される標準値と、製品出荷後にユーザによってユーザの好みで調整されるオフセット値とからなり、標準値とオフセット値を足し合わせた調整値に基づいて、映像の輝度や色合いが調整され、所定の音量、所定の低音および高音からなる音声が出力されることになる。次に、ステップＳ９において、初期化フラグに値０がセットされる。
【００３０】
次に、ステップＳ１０において、マイコン１０７により、調整モードフラグに値１がセットされているか否かが判定される。その結果、調整モードフラグに値１がセットされていると判定された場合、ステップＳ１２に進む。一方、調整モードフラグに値１がセットされていないと判定された場合、ステップＳ１１に進む。
【００３１】
ステップＳ１２においては、マイコン１０７の制御により、テレビジョン受像機１００は調整モードで駆動され、作業者による各種調整値の標準値および必要に応じてオフセット値の調整が可能となる。
【００３２】
ステップＳ１１においては、マイコン１０７の制御により、テレビジョン受像機１００は、通常モードで駆動され、ユーザによるテレビ番組の視聴、および各種調整値のオフセット値の調整が可能となる。
【００３３】
ステップＳ１１またはステップＳ１２の処理が終了すると、本処理を終了する。
【００３４】
以下、本実施の形態の具体的な動作について説明する。まず最初に、テレビジョン受像機１００の調整を行う工場において、テレビジョン受像機１００にプラグ１１３を介して供給される電力の電圧（外部電圧）が、例えば、１５０ボルトである場合の動作について説明する。この場合、テレビジョン受像機１００に電源が投入されたとき、ステップＳ１において、マイコン１０７により外部電圧は１００ボルトではないと判定され、ステップＳ２に進む。
【００３５】
ステップＳ２においては、調整モードフラグに値１がセットされ、ステップＳ１０に進む。ステップＳ１０においては、調整モードフラグに値１がセットされているか否かが判定される。いまの場合、調整モードフラグに値１がセットされているので、調整モードフラグに値１がセットされていると判定され、ステップＳ１２に進む。
【００３６】
ステップＳ１２においては、テレビジョン受像機１００が調整モードで駆動され、工場の作業者は各種調整値を設定することができる。
【００３７】
次に、例えば、テレビジョン受像機１００の各種調整値のオフセット値が、工場出荷時において所定の規定値にリセットされていなかった場合において、そのテレビジョン受像機１００を購入したユーザが最初に電源を投入したときの本実施の形態の動作について説明する。
【００３８】
通常、工場出荷前に、作業者は所定の操作を行って記憶部２００の調整用メモリ２０２の第２の調整メモリ領域２０２ｂに記憶されているオフセット値を所定の規定値にリセットするのであるが、作業者がそのリセット作業を忘れる場合がある。
【００３９】
テレビジョン受像機１００が工場から出荷され、そのテレビジョン受像機１００を購入したユーザ宅において、プラグ１１３をコンセントに接続し、一般家庭の電圧１００ボルトの電力がテレビジョン受像機１００に供給されると、ステップＳ１において、マイコン１０７により、外部電源の電圧値（外部電圧）が１００ボルトであると判定され、ステップＳ３に進む。
【００４０】
ステップＳ３においては、マイコン１０７により、調整モードの起動操作があったか否かが判定されるが、通常、ユーザが調整モードの起動操作をすることはほとんどなく、この場合もユーザによる起動操作はなかったものとするので、調整モードの起動操作はなかったと判定され、ステップＳ５に進む。
【００４１】
ステップＳ５においては、調整モードフラグに値１がセットされているか否かが判定され、調整モードフラグに値１がセットされている場合、ステップＳ６において、調整モードフラグに値０がセットされる。さらに、調整モードフラグに値１がセットされている場合、初期化処理が実行されていない可能性があるため、初期化処理が実行されるように、初期化フラグに値１がセットされ、ステップＳ７に進む。
【００４２】
一方、ステップＳ５において、調整モードフラグに値１がセットされていないと判定された場合、ステップＳ７に進む。ステップＳ７においては、初期化フラグに値０がセットされているか否かが判定される。
【００４３】
初期化フラグに値１がセットされている場合には、ステップＳ８において、初期化処理（リセット処理）が実行され、ステップＳ９において、初期化フラグに値０がセットされ、ステップＳ１０に進む。一方、初期化フラグに値０がセットされている場合、ステップＳ１０に進む。
【００４４】
ステップＳ１０においては、調整モードフラグに値１がセットされているか否かが判定される。いまの場合、調整モードフラグには値０がセットされているので、ステップＳ１１に進み、通常モード処理が実行される。即ち、テレビジョン受像機１００は、記憶部２００に予め規定値として記憶されていたチャンネルを選局し、そのチャンネルで放送されている番組の映像を表示部１０５の画面に表示するとともに、その映像に対応する音声をスピーカ１０６より出力する。
【００４５】
このとき、表示部１０５に表示される映像の輝度や色合い等は、記憶部２００の調整用メモリ２０２の第１の調整メモリ領域２０２ａに記憶されている各標準値と、第２の調整メモリ領域２０２ｂに記憶されている各オフセット値とを加算して得られる各調整値の対応するものに基づいてそれぞれ調整される。同様に、スピーカ１０６から出力される音声の音量や低音および高音のバランス等は、それぞれ対応する調整値に基づいて調整される。
【００４６】
以上説明したように、本実施の形態においては、工場出荷時において、テレビジョン受像機１００の各種調整値のオフセット値の初期化が行われていなかった場合でも、そのテレビジョン受像機１００を購入したユーザが電源を投入すると、初期化がまだ行われていないことが認識され、初期化処理が実行される。従って、工場の作業者が初期化処理を忘れてしまった場合でも、ユーザが使用する前に初期化処理が確実に行われるようにすることができ、販売後のクレームの発生を抑制するとともに、メンテナンス費用を抑制することができる。
【００４７】
なお、上記実施の形態においては、標準値とオフセット値からなる調整値のオフセット値をリセットする場合について説明したが、標準値のみからなる調整値をリセットする場合にも本発明を適用することができる。
【００４８】
また、上記実施の形態においては、プラグ１１３より供給される外部からの電力の電圧値を、一般家庭では１００ボルトとし、工場では１５０ボルトであるとしたが、これらの電圧値に限定されるものではない。
【００４９】
なお、上記実施の形態の構成および動作は例であって、本発明の趣旨を逸脱しない範囲で適宜変更することができることは言うまでもない。
【産業上の利用可能性】
【００５０】
本発明の活用例として、例えば、テレビジョン受像機だけでなく、出荷前に初期化処理が必要な様々な電子機器にも本発明を適用することができる。
【図面の簡単な説明】
【００５１】
【図１】本発明を応用したテレビジョン受像機の一実施の形態の構成例を示すブロック図である。
【図２】図１の実施の形態の動作を説明するためのフローチャートである。
【符号の説明】
【００５２】
１０１  アンテナ
１０２  チューナ
１０３  デコーダ
１０４  映像音声処理部
１０５  表示部
１０６  スピーカ
１０７  マイコン
１０８  受光部
１０９，１１４  インタフェース（Ｉ／Ｆ）
１００  テレビジョン受像機
１１０  電源電圧検出部
１１１  電源
１１２  電源ライン
１１３  プラグ
１１５  操作部
２００  記憶部
２０１  キャラクタジェネレータ
２０２  調整用メモリ
２０２ａ  第１の調整メモリ領域
２０２ｂ  第２の調整メモリ領域
２０３  フラグデータ記憶用メモリ
【図１】
0004675185.tif 000002
【図２】
0004675185.tif 000003